(57)【要約】【課題】  複数のチャージポンプ回路を直列に接続したスイッチング電源装置における出力電圧のリップルを低減する。【解決手段】  スイッチング電源装置１００において、第１チャージポンプ回路１１０は、入力電圧Ｖｉｎを所定の電圧に変換し、第１出力電圧Ｖｏｕｔ１として出力する。第２チャージポンプ回路１２０は、第１チャージポンプ回路１１０から出力される第１出力電圧Ｖｏｕｔ１を所定の電圧に変換し、第２出力電圧Ｖｏｕｔ２として出力する。制御回路１０は、第１チャージポンプ回路１１０、第２チャージポンプ回路１２０の充放電状態を制御する。制御回路１０は、第１チャージポンプ回路１１０において第１出力キャパシタＣｏ１を充電する状態と、第２チャージポンプ回路１２０において第２フライングキャパシタＣｆ２を充電する状態と、を同期制御する。【選択図】  図１
2007074797.tif 000002
【特許請求の範囲】
【請求項１】
入力電圧を所定の電圧に変換し、第１出力電圧として出力する第１チャージポンプ回路と、
前記第１チャージポンプ回路から出力される前記第１出力電圧を所定の電圧に変換し、第２出力電圧として出力する第２チャージポンプ回路と、
前記第１、第２チャージポンプ回路の充放電状態を制御する制御回路と、
を備え、
前記制御回路は、前記第１チャージポンプ回路において出力キャパシタを充電する状態と、前記第２チャージポンプ回路においてフライングキャパシタを充電する状態と、を同期制御することを特徴とするスイッチング電源装置。
【請求項２】
前記第２チャージポンプ回路は、前記第１出力電圧を反転する反転型チャージポンプ回路であることを特徴とする請求項１に記載のスイッチング電源装置。
【請求項３】
前記第１チャージポンプ回路は、前記入力電圧を２倍の昇圧率で昇圧することを特徴とする請求項１または２に記載のスイッチング電源装置。
【請求項４】
電池と、
前記電池の電圧を所定の電圧に変換して出力する請求項１から３のいずれかに記載のスイッチング電源装置と、
を備えることを特徴とする電子機器。
【発明の詳細な説明】
【技術分野】
【０００１】
本発明は、スイッチング電源装置に関する。
【背景技術】
【０００２】
近年の携帯電話、ＰＤＡ（Ｐｅｒｓｏｎａｌ  Ｄｉｇｉｔａｌ  Ａｓｓｉｓｔａｎｃｅ）等の小型情報端末においては、例えば液晶のバックライトに用いられるＬＥＤ（Ｌｉｇｈｔ  Ｅｍｉｔｔｉｎｇ  Ｄｉｏｄｅ）などのように電池の出力電圧よりも高い電圧を必要とするデバイスが存在する。たとえば、これらの小型情報端末では、Ｌｉイオン電池が多く用いられ、その出力電圧は通常３．５Ｖ程度であり、満充電時においても４．２Ｖ程度であるが、ＬＥＤはその駆動電圧として電池電圧よりも高い電圧を必要とする。このように、電池電圧よりも高い電圧が必要とされる場合には、スイッチドキャパシタ方式等の昇圧回路を用いて電池電圧を昇圧し、ＬＥＤなどの負荷回路を駆動するために必要な電圧を得ている。また、このような小型情報端末装置において負電源が必要とされる場合もあり、このような場合にもスイッチドキャパシタ方式の電圧反転回路を用いて所望の負電圧を得ている（特許文献１）。
【０００３】
ここで、ある小型情報端末装置において、電池電圧よりも高い電圧を必要とする負荷回路と、負の電圧を必要とする負荷回路を同時に駆動する場合を考える。このように異なる電圧で駆動すべき負荷回路に適切な電圧を供給するために、複数のチャージポンプ回路を直列に接続し、各チャージポンプ回路の出力をそれぞれ負荷に供給する手法が考えられる。たとえば、昇圧率が２倍のチャージポンプ回路と、電圧反転型のチャージポンプ回路を２段直列に接続した場合、電池電圧をＶｂａｔと書くと、Ｖｂａｔ、２×Ｖｂａｔ、−２×Ｖｂａｔの３つの異なる電圧を負荷に対して供給することができる。
【０００４】
【特許文献１】特開２００１−２５８２４１号公報
【発明の開示】
【発明が解決しようとする課題】
【０００５】
一般的なチャージポンプ回路は、フライングキャパシタ、出力キャパシタ、ならびに、これら２つのキャパシタを接続する複数のスイッチ素子を備えており、スイッチ素子のオンオフを制御することにより、フライングキャパシタおよび出力キャパシタに電荷を蓄えて、入力電圧を所望の電圧に変換する。
【０００６】
ここで、上述のように、複数のチャージポンプ回路を直列に接続する場合を考える。この場合、２段目のチャージポンプ回路の入力電圧は、１段目のチャージポンプ回路の出力電圧となり、２段目のチャージポンプ回路のフライングキャパシタは、１段目のチャージポンプ回路の出力キャパシタに蓄えられた電荷によって充電されることになる。したがって、各チャージポンプ回路において、キャパシタの充放電状態、すなわちスイッチ素子のオン・オフ状態を別個独立に制御すると、場合によっては、出力電圧のリップルが大きくなってしまう。
【０００７】
本発明はこうした課題に鑑みてなされたものであり、その目的は、複数のチャージポンプ回路を直列に接続したスイッチング電源装置における出力電圧のリップルの低減にある。
【課題を解決するための手段】
【０００８】
本発明のある態様のスイッチング電源装置は、入力電圧を所定の電圧に変換し、第１出力電圧として出力する第１チャージポンプ回路と、第１チャージポンプ回路から出力される第１出力電圧を所定の電圧に変換し、第２出力電圧として出力する第２チャージポンプ回路と、第１、第２チャージポンプ回路の充放電状態を制御する制御回路と、を備える。制御回路は、第１チャージポンプ回路において出力キャパシタを充電する状態と、第２チャージポンプ回路においてフライングキャパシタを充電する状態と、を同期制御する。
【０００９】
この態様によれば、第２チャージポンプ回路のフライングキャパシタは、第１チャージポンプ回路の出力キャパシタに蓄えられた電荷によって充電される。そこで、第２チャージポンプ回路のフライングキャパシタを充電するフェーズと、第１チャージポンプ回路の出力キャパシタを充電するフェーズを同時に行うことにより、第１チャージポンプ回路の出力キャパシタに蓄えられる電荷量の変動が低減される。その結果、第１出力電圧のリップルを低減することができる。
【００１０】
第２チャージポンプ回路は、第１出力電圧を反転する反転型チャージポンプ回路であってもよい。また、第１チャージポンプ回路は、入力電圧を２倍の昇圧率で昇圧してもよい。
【００１１】
本発明の別の態様は、電子機器である。この電子機器は、電池と、電池の電圧を所定の電圧に変換して出力する上述のスイッチング電源装置と、を備える。
【００１２】
この態様によると、電子機器に搭載される複数の負荷に対して、安定した電圧供給を行うことができる。
【００１３】
なお、以上の構成要素の任意の組合せや本発明の構成要素や表現を、方法、装置、システムなどの間で相互に置換したものもまた、本発明の態様として有効である。
【発明の効果】
【００１４】
本発明に係るスイッチング電源装置によれば、出力電圧のリップルを低減することができる。
【発明を実施するための最良の形態】
【００１５】
図１は、本発明の実施の形態に係るスイッチング電源装置１００の構成を示す。スイッチング電源装置１００は、第１チャージポンプ回路１１０、第２チャージポンプ回路１２０、制御回路１０を備える。
【００１６】
第１チャージポンプ回路１１０は、第１入力端子１１２に入力される入力電圧Ｖｉｎを所定の電圧に変換し、第１出力端子１１４から第１出力電圧Ｖｏｕｔ１として出力する。本実施の形態において、第１チャージポンプ回路１１０の昇圧率は２倍であり、入力電圧Ｖｉｎと第１出力電圧Ｖｏｕｔ１の間には、Ｖｏｕｔ１＝２×Ｖｉｎの関係が成り立つ。入力電圧Ｖｉｎとしては、本実施の形態に係るスイッチング電源装置１００が搭載される機器の電源電圧、たとえば電池電圧が使用される。
【００１７】
第１チャージポンプ回路１１０は、第１スイッチＳＷ１１、第２スイッチＳＷ１２、第３スイッチＳＷ１３、第４スイッチＳＷ１４、第１フライングキャパシタＣｆ１、第１出力キャパシタＣｏ１を備える。
【００１８】
第１スイッチＳＷ１１は、第１入力端子１１２と第１フライングキャパシタＣｆ１の第１端子（＋）の間に設けられ、第２スイッチＳＷ１２は、第１入力端子１１２と第１フライングキャパシタＣｆ１の第２端子（−）の間に設けられる。また、第３スイッチＳＷ１３は、第１出力端子１１４と第１フライングキャパシタＣｆ１の第１端子の間に設けられ、第４スイッチＳＷ１４は、第１フライングキャパシタＣｆ１の第２端子と接地間に設けられる。第１出力キャパシタＣｏ１は、第１出力端子１１４と接地間に設けられている。
【００１９】
第１スイッチＳＷ１１〜第４スイッチＳＷ１４は、たとえばＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）によって構成される。第１スイッチＳＷ１１〜第４スイッチＳＷ１４を構成するＭＯＳＦＥＴのゲートは、図示しない配線を介して、制御回路１０と接続されており、制御回路１０により生成される制御信号によってそれぞれのオン、オフ状態が制御される。
【００２０】
制御回路１０は、外部から入力されるクロック信号ＣＬＫにもとづき、第１チャージポンプ回路１１０、第２チャージポンプ回路１２０の充放電状態を制御する。具体的には、制御回路１０は、第１スイッチＳＷ１１、第４スイッチＳＷ１４をオン、第２スイッチＳＷ１２、第３スイッチＳＷ１３をオフする第１状態φ１と、第１スイッチＳＷ１１、第４スイッチＳＷ１４をオフ、第２スイッチＳＷ１２、第３スイッチＳＷ１３をオンする第２状態φ２を交互に繰り返す。
【００２１】
第１状態φ１において、第１スイッチＳＷ１１、第４スイッチＳＷ１４がオンすると、第１フライングキャパシタＣｆ１の第１端子に入力電圧Ｖｉｎが印加され、第１フライングキャパシタＣｆ１の第２端子が接地される。その結果、第１状態φ１において、第１フライングキャパシタＣｆ１は入力電圧Ｖｉｎで充電される。
【００２２】
次いで、第２状態φ２において、第２スイッチＳＷ１２、第３スイッチＳＷ１３がオンすると、第１フライングキャパシタＣｆ１の第２端子が第１入力端子１１２と接続され、第１端子が第１出力端子１１４と接続される。その結果、第１出力キャパシタＣｏ１は、第１フライングキャパシタＣｆ１の第１端子に現れる電圧（Ｖｉｎ＋Ｖｉｎ＝Ｖｉｎ×２）で充電される。
【００２３】
このように、第１チャージポンプ回路１１０は、第１状態φ１、第２状態φ２を交互に繰り返すことにより、第１出力端子１１４から第１出力電圧Ｖｏｕｔ１（＝Ｖｉｎ×２）を出力する。第１出力端子１１４から出力される第１出力電圧Ｖｏｕｔ１は、図示しない負荷に供給されるとともに、第２チャージポンプ回路１２０へと出力される。
【００２４】
第２チャージポンプ回路１２０は、第２入力端子１２２に入力される第１出力電圧Ｖｏｕｔ１を所定の電圧に変換し、第２出力端子１２４から第２出力電圧Ｖｏｕｔ２として出力する。本実施の形態において、第２チャージポンプ回路１２０の昇圧率は−１倍に設定されており、第２出力電圧Ｖｏｕｔ２と第１出力電圧Ｖｏｕｔ１の間には、Ｖｏｕｔ２＝−Ｖｏｕｔ１の関係が成り立つ。
【００２５】
第２チャージポンプ回路１２０は、第１スイッチＳＷ２１、第２スイッチＳＷ２２、第３スイッチＳＷ２３、第４スイッチＳＷ２４、第２フライングキャパシタＣｆ２、第２出力キャパシタＣｏ２を備える。
【００２６】
第１スイッチＳＷ２１は、第２入力端子１２２と第２フライングキャパシタＣｆ２の第１端子（＋）の間に設けられ、第２スイッチＳＷ２２は、第２フライングキャパシタＣｆ２の第１端子と接地間に設けられる。また、第３スイッチＳＷ２３は、第２フライングキャパシタＣｆ２の第２端子（−）と接地間に設けられ、第４スイッチＳＷ２４は、第２フライングキャパシタＣｆ２の第２端子と第２出力端子１２４の間に設けられる。第２出力キャパシタＣｏ２は、第２出力端子１２４と接地間に設けられている。
【００２７】
制御回路１０は、第１スイッチＳＷ２１、第３スイッチＳＷ２３をオン、第２スイッチＳＷ２２、第４スイッチＳＷ２４をオフする第１状態φ１’と、第１スイッチＳＷ２１、第３スイッチＳＷ２３をオフ、第２スイッチＳＷ２２、第４スイッチＳＷ２４をオンする第２状態φ２’とを交互に繰り返す。
【００２８】
第１状態φ１’において、第１スイッチＳＷ２１、第３スイッチＳＷ２３がオンすると、第２フライングキャパシタＣｆ２の第１端子に第１出力電圧Ｖｏｕｔ１が印加され、第２フライングキャパシタＣｆ２の第２端子が接地される。その結果、第１状態φ１’において、第２フライングキャパシタＣｆ２は第１出力電圧Ｖｏｕｔ１で充電される。
【００２９】
次いで、第２状態φ２’において、第２スイッチＳＷ２２、第４スイッチＳＷ２４がオンすると、第２フライングキャパシタＣｆ２の第１端子が接地され、第２端子が第２出力端子１２４と接続される。その結果、第２出力キャパシタＣｏ２は、第２フライングキャパシタＣｆ２の第２端子に現れる電圧−Ｖｏｕｔ１で充電される。
【００３０】
このように、第２チャージポンプ回路１２０は、第１状態φ１’、第２状態φ２’を交互に繰り返すことにより、第２出力端子１２４から第２出力電圧Ｖｏｕｔ２（＝−Ｖｏｕｔ１）を出力する。第２出力端子１２４から出力される第２出力電圧Ｖｏｕｔ２は、図示しない負荷に供給される。
【００３１】
なお、本実施の形態において、制御回路１０、第１チャージポンプ回路１１０の第１スイッチＳＷ１１〜第４スイッチＳＷ１４、第２チャージポンプ回路１２０の第１スイッチＳＷ２１〜第４スイッチＳＷ２４は、ひとつの半導体基板上に一体集積化された機能ＩＣとして構成される。また、第１フライングキャパシタＣｆ１、第２フライングキャパシタＣｆ２、第１出力キャパシタＣｏ１、第２出力キャパシタＣｏ２は、このＩＣの外部に、チップ部品として接続される。
【００３２】
本実施の形態に係るスイッチング電源装置１００において、制御回路１０は、第１チャージポンプ回路１１０および第２チャージポンプ回路１２０のスイッチのオンオフを同期制御する。以下、第１チャージポンプ回路１１０の第１状態φ１、第２状態φ２および第２チャージポンプ回路１２０の第１状態φ１’、第２状態φ２’の関係について説明する。
【００３３】
制御回路１０は、第１チャージポンプ回路１１０における第１状態φ１と、第２チャージポンプ回路１２０における第２状態φ２’を対応付け、第１チャージポンプ回路１１０における第２状態φ２と、第２チャージポンプ回路１２０における第１状態φ１’を対応付けて、各キャパシタの充放電状態を制御する。すなわち、本実施の形態においては、φ１＝φ２’、φ２＝φ１’が成り立っている。
【００３４】
その結果、第１チャージポンプ回路１１０において第１出力キャパシタＣｏ１を充電する第１状態φ１と、第２チャージポンプ回路１２０において第２フライングキャパシタＣｆ２を充電する第２状態φ２’と、が同時に発生する。また、第１フライングキャパシタＣｆ１を充電する第２状態φ２と、第２出力キャパシタＣｏ２を充電する第２状態φ１’とが同時に発生する。
【００３５】
図２は、本実施の形態に係るスイッチング電源装置１００の動作状態を示すタイムチャートである。図２において、第１チャージポンプ回路１１０の第１スイッチＳＷ１１〜第４スイッチＳＷ１４、第２チャージポンプ回路１２０の第１スイッチＳＷ２１〜第４スイッチＳＷ２４は、それぞれのオン、オフ状態を示しており、ハイレベルのときがオン状態、ローレベルのときがオフ状態に対応する。なお、同図の縦軸および横軸は、説明を簡潔にするため、適宜拡大、縮小して示される。
【００３６】
時刻Ｔ１に、第１チャージポンプ回路１１０において、第１スイッチＳＷ１１、第４スイッチＳＷ１４がオンすると、第１フライングキャパシタＣｆ１が入力電圧Ｖｉｎで充電される。
【００３７】
次いで、時刻Ｔ２に、第２スイッチＳＷ１２、第３スイッチＳＷ１３がオンすると、第１フライングキャパシタＣｆ１に蓄えられた電荷が第１出力キャパシタＣｏ１に転送され、第１出力電圧Ｖｏｕｔ１が２×Ｖｉｎ付近まで上昇する。このとき、第２チャージポンプ回路１２０に着目すると、時刻Ｔ２に第１スイッチＳＷ２１、第３スイッチＳＷ２３がオンし、第２フライングキャパシタＣｆ２が充電される第１状態φ１’となる。このとき、第１出力キャパシタＣｏ１および第２フライングキャパシタＣｆ２は、第１フライングキャパシタＣｆ１の第１端子と接地間に並列に接続される。したがって、時刻Ｔ２には、第１フライングキャパシタＣｆ１に蓄えられた電荷は、第１出力キャパシタＣｏ１に転送されるとともに、第２フライングキャパシタＣｆ２にも転送されることになる。その結果、第２フライングキャパシタＣｆ２は、第１出力電圧Ｖｏｕｔ１（＝２×Ｖｉｎ）で充電される。
【００３８】
時刻Ｔ２から時刻Ｔ４までの期間、第１出力端子１１４に接続される負荷に電流が流れることにより、第１出力キャパシタＣｏ１に蓄えられた電荷が放電され、第１出力電圧Ｖｏｕｔ１は時間とともに徐々に低下していく。
【００３９】
時刻Ｔ３に、第１チャージポンプ回路１１０において、第１スイッチＳＷ１１、第４スイッチＳＷ１４がオンして第１フライングキャパシタＣｆ１が入力電圧Ｖｉｎで充電される。一方、第２チャージポンプ回路１２０においては、第２スイッチＳＷ２２、第４スイッチＳＷ２４がオンし、第２フライングキャパシタＣｆ２に蓄えられた電荷が第２出力キャパシタＣｏ２に転送される。このとき、第２出力電圧Ｖｏｕｔ２は、−Ｖｏｕｔ１（＝−２×Ｖｉｎ）まで低下する。その後、第２出力端子１２４に接続される負荷に電流が流れることにより、第２出力キャパシタＣｏ２に蓄えられる電荷が減少していき、第２出力電圧Ｖｏｕｔ２は徐々に上昇していく。
【００４０】
本実施の形態に係るスイッチング電源装置１００は、上述のスイッチング動作を繰り返し行うことにより、第１出力端子１１４から第１出力電圧Ｖｏｕｔ１（＝２×Ｖｉｎ）を、第２出力端子１２４から第２出力電圧Ｖｏｕｔ２（＝−Ｖｏｕｔ１＝−２×Ｖｉｎ）を出力する。
【００４１】
本実施の形態に係るスイッチング電源装置１００によれば、第２チャージポンプ回路１２０の第２フライングキャパシタＣｆ２を充電するフェーズと、第１チャージポンプ回路１１０の第１出力キャパシタＣｏ１を充電するフェーズを同時に行うことにより、第１チャージポンプ回路１１０の第１出力キャパシタＣｏ１に蓄えられる電荷量の変動が低減され、第１出力電圧Ｖｏｕｔ１の変動量ΔＶ１を低減することができる。さらに、第２チャージポンプ回路１２０の第２出力電圧Ｖｏｕｔ２を、第１出力電圧Ｖｏｕｔ１を反転した電圧、すなわち−Ｖｏｕｔ１＝−２×Ｖｉｎに近づけることができる。
【００４２】
本実施の形態に係るスイッチング電源装置１００の効果は、図３との対比によって、より明らかとなる。図３は、第１チャージポンプ回路１１０と第２チャージポンプ回路１２０のスイッチング動作を、本実施の形態と逆相に設定した場合のタイムチャートである。
【００４３】
図３に示すように、時刻Ｔ１に第１スイッチＳＷ１１、第４スイッチＳＷ１４がオンし、第１フライングキャパシタＣｆ１が充電される。その後、時刻Ｔ２に第２スイッチＳＷ１２、第３スイッチＳＷ１３がオンして、第１フライングキャパシタＣｆ１に蓄えられた電荷が転送されることにより、第１出力キャパシタＣｏ１が充電される。その結果、第１出力電圧Ｖｏｕｔ１は、Ｖｏｕｔ１＝２×Ｖｉｎ付近まで上昇する。
【００４４】
その後、時刻Ｔ２から時刻Ｔ３の期間、第１出力端子１１４に接続される負荷に電流が流れることにより、第１出力電圧Ｖｏｕｔ１は徐々に低下していく。
【００４５】
時刻Ｔ３に、第２チャージポンプ回路１２０において、第１スイッチＳＷ２１、第３スイッチＳＷ２３がオンすると、第１出力電圧Ｖｏｕｔ１によって、第２フライングキャパシタＣｆ２が充電される。このとき、第１出力キャパシタＣｏ１に蓄えられた電荷が第２フライングキャパシタＣｆ２に転送されるため、第１出力電圧Ｖｏｕｔ１は低下する。
【００４６】
その後、時刻Ｔ４に、第２チャージポンプ回路１２０において、第２スイッチＳＷ２２、第４スイッチＳＷ２４がオンすると、第２フライングキャパシタＣｆ２に蓄えられた電荷が第２出力キャパシタＣｏ２転送され、第２出力電圧Ｖｏｕｔ２が−Ｖｏｕｔ１付近まで低下する。その後、第２出力端子１２４に接続される負荷に電流が流れることにより、第２出力キャパシタＣｏ２に蓄えられた電荷が減少し、第２出力電圧Ｖｏｕｔ２は徐々に上昇していく。
【００４７】
図３に示すように、第１チャージポンプ回路１１０と第２チャージポンプ回路１２０のスイッチング動作を、図２に示す本実施の形態に係るスイッチング電源装置１００と逆相で制御した場合、時刻Ｔ３において、第１出力キャパシタＣｏ１に蓄えられた電荷が第２フライングキャパシタＣｆ２に転送されるときに、第１出力電圧Ｖｏｕｔ１が低下し、変動量ΔＶ１が大きくなってしまう。これに対して、図２に示す本実施の形態に係るスイッチング電源装置１００の場合、第１フライングキャパシタＣｆ１に蓄えられた電荷によって、第１出力キャパシタＣｏ１と第２フライングキャパシタＣｆ２の充電を同時に行うため、第１出力電圧Ｖｏｕｔ１の変動量ΔＶ１を抑えることができる。
【００４８】
以上で説明した実施の形態に係るスイッチング電源装置は、たとえば携帯電話端末やＰＤＡなどの電池駆動型の電子機器に好適に用いることができる。図４は、実施の形態に係るスイッチング電源装置を搭載した電子機器の構成を示すブロック図である。電子機器１０００は、電池１０１０、スイッチング電源装置１００、第１負荷１０３０、第２負荷１０４０を備える。スイッチング電源装置１００は、電池１０１０から出力される電池電圧Ｖｂａｔを、第１出力電圧Ｖｏｕｔ１（＝２×Ｖｂａｔ）、第２出力電圧Ｖｏｕｔ２（−２×Ｖｂａｔ）に変換して出力する。第１出力電圧Ｖｏｕｔ１は、ＬＥＤや液晶パネルなどの第１負荷１０３０に供給される。また第２出力電圧Ｖｏｕｔ２は、負電源を必要とする第２負荷１０４０に供給される。
【００４９】
上記実施の形態は例示であり、それらの各構成要素や各処理プロセスの組合せにいろいろな変形例が可能なこと、またそうした変形例も本発明の範囲にあることは当業者に理解されるところである。
【００５０】
実施の形態において、第２チャージポンプ回路１２０は、反転型の場合について説明したが、本発明はこれに限定されるものではなく、昇圧率が１．５倍、２倍あるいは４倍のチャージポンプ回路であってもよく、あるいは複数の昇圧率が切り換え可能なチャージポンプ回路であってもよい。第１チャージポンプ回路１１０についても同様に、昇圧率は２倍に限定されるものではなく、１．５倍や４倍、あるいは複数の昇圧率が切り換え可能なチャージポンプ回路であってもよい。
【００５１】
実施の形態においてＭＯＳＦＥＴで構成された素子は、バイポーラトランジスタなど別のトランジスタ、あるいはダイオードに置換することも可能である。これらの選択は、半導体製造プロセスやコスト、回路に求められる使用に応じて決定すればよい。
【００５２】
実施の形態において、スイッチング電源装置１００を構成する素子はすべて一体集積化されていてもよく、または別の集積回路に分けて構成されていてもよく、さらにはその一部がディスクリート部品で構成されていてもよい。どの部分を集積化するかは、コストや占有面積、用途などに応じて決めればよい。
【図面の簡単な説明】
【００５３】
【図１】本発明の実施の形態に係るスイッチング電源装置の構成を示す図である。
【図２】図１のスイッチング電源装置の動作状態を示すタイムチャートである。
【図３】第１チャージポンプ回路と第２チャージポンプ回路のスイッチング動作を、本実施の形態と逆相に設定した場合のタイムチャートである。
【図４】図１のスイッチング電源装置を搭載した電子機器の構成を示すブロック図である。
【符号の説明】
【００５４】
１０  制御回路、  １００  スイッチング電源装置、  １１０  第１チャージポンプ回路、  １１２  第１入力端子、  １１４  第１出力端子、  １２０  第２チャージポンプ回路、  １２２  第２入力端子、  １２４  第２出力端子、  Ｃｆ１  第１フライングキャパシタ、  Ｃｏ１  第１出力キャパシタ、  ＳＷ１１  第１スイッチ、  ＳＷ１２  第２スイッチ、  ＳＷ１３  第３スイッチ、  ＳＷ１４  第４スイッチ、  Ｃｆ２  第２フライングキャパシタ、  Ｃｏ２  第２出力キャパシタ、  ＳＷ２１  第１スイッチ、  ＳＷ２２  第２スイッチ、  ＳＷ２３  第３スイッチ、  ＳＷ２４  第４スイッチ、  Ｖｉｎ  入力電圧、  Ｖｏｕｔ１  第１出力電圧、  Ｖｏｕｔ２  第２出力電圧。
【図１】
2007074797.tif 000003
【図２】
2007074797.tif 000004
【図３】
2007074797.tif 000005
【図４】
2007074797.tif 000006